(57)【要約】【課題】特別な眼鏡レンズを使用しなくても、観察者瞳孔の瞳分割によってシースルーした外界像と重畳して電子像を視野内の任意の位置に表示可能な眼鏡型画像表示装置。【解決手段】少なくとも一方の眼鏡レンズ２０Ｒの一部に溝３０が形成されており、溝３０中に表示バー１０が挿入固定されており、表示バー１０は、中空の筒部材あるいはロッド状の透明部材を備え、その筒部材等の後端から入射した表示光を長手方向に導いてその先端に導く光路を形成するものであり、筒部材等の先端近傍には反射部材が配置され、筒部材等の先端にはその反射部材で光路が曲げられた表示光を観察者眼球に投影する接眼窓を備えており、接眼窓近傍又は筒部材等の後端から先端に至る光路中に接眼光学系を備えている。【選択図】図５
2009075195.tif 000002
【特許請求の範囲】
【請求項１】
少なくとも一方の眼鏡レンズの一部に溝が形成されており、前記溝中に表示バーが挿入されており、前記表示バーは、中空の筒部材あるいはロッド状の透明部材を備え、前記筒部材あるいは透明部材はその後端から入射した表示光を長手方向に導いてその先端に導く光路を形成するものであり、前記筒部材あるいは透明部材の先端近傍には反射部材が配置され、かつ、前記筒部材あるいは透明部材の先端には前記反射部材で光路が曲げられた表示光を観察者眼球に投影する接眼窓を備えており、前記接眼窓近傍又は前記筒部材あるいは透明部材の後端から先端に至る光路中に接眼光学系を備えていることを特徴とする眼鏡型画像表示装置。
【請求項２】
前記表示バーの使用者の視軸方向への投影断面の幅が４ｍｍ以下であることを特徴とする請求項１記載の頭部装着型画像表示装置。
【請求項３】
前記表示バーが少なくとも前記眼鏡レンズで保持されていることを特徴とする請求項１又は２記載の頭部装着型画像表示装置。
【請求項４】
前記表示バーが前記眼鏡レンズのフレームで保持されていることを特徴とする請求項１又は２記載の頭部装着型画像表示装置。
【請求項５】
前記表示バーの接眼窓が位置する側の面が前記眼鏡レンズの使用者の眼側の曲面から出っ張らないように保持されていることを特徴とする請求項１から４の何れか１項記載の頭部装着型画像表示装置。
【請求項６】
前記表示バーの接眼窓が位置する側と反対側の面が前記眼鏡レンズの使用者の眼と反対側の曲面から出っ張らないように保持されていることを特徴とする請求項１から４の何れか１項記載の頭部装着型画像表示装置。
【請求項７】
前記溝は前記眼鏡レンズの外側から眼鏡レンズ中央にかけて形成されていることを特徴とする請求項１から６の何れか１項記載の頭部装着型画像表示装置。
【請求項８】
少なくとも一方の眼鏡レンズの一部に溝が形成されており、前記溝中に表示バーが挿入されており、前記表示バーは、中空の筒部材あるいはロッド状の透明部材を備え、前記筒部材あるいは透明部材はその後端から入射した表示光を長手方向に導いてその先端に導く光路を形成するものであり、前記筒部材あるいは透明部材の先端近傍には反射部材が配置され、かつ、前記筒部材あるいは透明部材はその先端に前記反射部材で光路が曲げられた表示光を観察者眼球に投影する接眼窓を備えており、前記接眼窓近傍又は前記筒部材あるいは透明部材の後端から先端に至る光路中に接眼光学系を備えていることを特徴とする画像表示装置付き眼鏡。
【請求項９】
眼鏡レンズを保持するフレームを備え、少なくとも一方の眼鏡レンズの一部に幅が４ｍｍ程度以下の溝が形成されており、前記溝中には表示バーが挿入可能になっており、前記表示バーは、中空の筒部材あるいはロッド状の透明部材を備え、前記筒部材あるいは透明部材はその後端から入射した表示光を長手方向に導いてその先端に導く光路を形成するものであり、前記筒部材あるいは透明部材の先端近傍には反射部材が配置され、かつ、前記筒部材あるいは透明部材はその先端に前記反射部材で光路が曲げられた表示光を観察者眼球に投影する接眼窓を備えており、前記接眼窓近傍又は前記筒部材あるいは透明部材の後端から先端に至る光路中に接眼光学系を備えているものであることを特徴とする眼鏡。
【発明の詳細な説明】
【技術分野】
【０００１】
本発明は、眼鏡型画像表示装置及び画像表示装置付き眼鏡に関し、特に、瞳孔の瞳分割によってシースルーした外界像と重畳して電子像を表示可能な眼鏡型画像表示装置とそのような画像表示装置を取り付けた眼鏡に関するものである。
【背景技術】
【０００２】
本出願人は、特許文献１において、シーアラウンドさらにはシースルー機構を有しながらも小型・軽量で、外界視界が大きく、低消費電力で電子像の輝度が高く、使いやすい頭部装着型画像表示装置（ＨＭＤ）を提案している。
【０００３】
この画像表示装置は、接眼窓保持部を構成する部材の使用者の視軸方向への投影断面の幅を４ｍｍ以下として、その接眼窓保持部材を人間の平均的な瞳孔径（４ｍｍ）よりも細くすることで、瞳（瞳孔）分割により、装置を視野内に配置しても外界を完全に遮ることがなく、シースルー効果が得られるもので、しかも、ハーフミラーを使用しておらず、光量のロスがないため、明るい電子画像を観察できるものである。
【０００４】
図１はこの接眼窓保持部２の代表的なものの斜視図、図２はその平面図である。接眼窓保持部２は断面長方形状の中空の筒部材あるいはロッド状の透明部材からなり、その筒部材あるいは透明部材の後端に配置した表示パネル３からの表示光をその中を光路とし先端に導き、先端に配置された反射部材６で光路を接眼窓保持部２の略直角方向に曲げ、接眼窓保持部２の先端側面の接眼窓４に配置された接眼レンズ５を介して眼球に投影することにより、観察者は表示パネル３の虚像である空中像を拡大観察することができるものである。
【０００５】
図３はこのような画像表示装置を観察者が装着したときの接眼窓保持部２の先端部と眼球Ｅの位置関係を示す図であり、眼球Ｅ正面に配置される接眼窓保持部２の幅を瞳孔径より小さくすることで、眼球Ｅの瞳を瞳分割して、接眼窓保持部２がかからない瞳孔部分を通して外界像を、接眼窓保持部２の接眼窓４がかかる瞳孔部分を通して表示パネル３の表示画像を相互に重畳させて見えるようにしている。
【０００６】
なお、接眼窓保持部２の先端側面の接眼窓４に接眼レンズ５を配置する代わりに、図４に示すように、接眼窓保持部２の先端の反射部材６と後端の間に接眼レンズ５の作用をする正屈折力の屈折率分布型レンズ７を内蔵させるようにすることもできる。
【０００７】
このような接眼窓保持部２を眼鏡レンズの外側あるいは眼鏡レンズ周囲のレンズ取り付け枠に取り付けて、眼鏡を利用する人にも外界をシースルーしながら画像表示を可能にしている。
【０００８】
他方、特許文献２においては、眼鏡の眼鏡レンズ中に視線に略４５°をなすハーフミラー等を埋め込み、眼鏡レンズ周辺部から眼鏡レンズ中の光路を通ってハーフミラーに達した表示光をそのハーフミラーで視線方向へ反射させて、観察者眼球に表示パネルの拡大画像を投影すると共に、ハーフミラーを透過した外界像を表示パネルの表示画像に重畳させて観察可能にした眼鏡型画像表示装置が提案されている。
【特許文献１】特開２００６−３８７９号公報
【特許文献２】米国特許第５，８８６，８２２号明細書
【発明の開示】
【発明が解決しようとする課題】
【０００９】
特許文献１記載のもので、眼鏡レンズの外側に接眼窓保持部２を取り付けるものは、眼球Ｅから眼鏡レンズの厚さ分余分に離れるため、視野角が小さくなる。また、眼鏡レンズ周囲のレンズ取り付け枠に取り付けものは、シースルーの外界像と重畳して表示画像を表示することはできない。
【００１０】
さらに、接眼窓保持部２の太さは４ｍｍ以下にする必要があり、かつ、電子像を視界の中で視認しやすい位置に表示するために、接眼窓保持部２は長さに比べて大変細くなり、物理的強度が弱く、破損しやすい。また、第三者から見て「きゃしゃ」な印象を与え違和感の助長につながる。
【００１１】
さらに、外界が明るいと電子像が見づらくなる。ハーフミラーを用いたシースルー型ＨＭＤは、ハーフミラーの透過と反射の比率を変更することで、外界の明るさに強いＨＭＤを設計することができるが、特許文献１記載のものではそのようなコントロールができない。
【００１２】
また、特許文献２記載のものは、ハーフミラーを用いて外界像と電子像を重畳させるため、電子像の光の利用効率が落ちる。さらに、ハーフミラーを全て眼鏡レンズの中に埋め込んでおり、さらに、特許文献１記載のもののように瞳分割によって外界像をシースルーするようになっていないため、眼鏡レンズは一般の眼鏡レンズに比べて厚いものとなる。それに伴って眼鏡の重量が大きくなる。さらに、眼鏡レンズの厚み増加によりファッション性が低下する。
【００１３】
さらに、眼鏡レンズ内に表示光を通すため、眼鏡レンズの前面、後面に曲率を付けることができない。したがって、ハーフミラー等を埋め込んだ眼鏡レンズを観察者眼球の視度に応じて近視や遠視の調整をすることはできない。また、前面、後面に曲率の付いていない眼鏡レンズであっても、視野の周辺程非点収差が発生し像がぼける、湾曲して見える等の不具合がある。
【００１４】
本発明は従来技術のこのような問題点に鑑みてなされたものであり、その目的は、特別な眼鏡レンズを使用しなくても、観察者瞳孔の瞳分割によってシースルーした外界像と重畳して電子像を視野内の任意の位置に観察者の眼幅等の適合させて表示可能な眼鏡型画像表示装置とそのような画像表示装置を取り付けた眼鏡を提供することである。
【課題を解決するための手段】
【００１５】
上記目的を達成する本発明の眼鏡型画像表示装置は、少なくとも一方の眼鏡レンズの一部に溝が形成されており、前記溝中に表示バーが挿入されており、前記表示バーは、中空の筒部材あるいはロッド状の透明部材を備え、前記筒部材あるいは透明部材はその後端から入射した表示光を長手方向に導いてその先端に導く光路を形成するものであり、前記筒部材あるいは透明部材の先端近傍には反射部材が配置され、かつ、前記筒部材あるいは透明部材の先端には前記反射部材で光路が曲げられた表示光を観察者眼球に投影する接眼窓を備えており、前記接眼窓近傍又は前記筒部材あるいは透明部材の後端から先端に至る光路中に接眼光学系を備えていることを特徴とするものである。
【００１６】
この場合に、前記表示バーの使用者の視軸方向への投影断面の幅が４ｍｍ以下であることが望ましい。
【００１７】
また、前記表示バーは、少なくとも前記眼鏡レンズで保持されていても、あるいは、前記眼鏡レンズのフレームで保持されていてもよい。
【００１８】
また、前記表示バーの接眼窓が位置する側の面が前記眼鏡レンズの使用者の眼側の曲面から出っ張らないように保持されていることが望ましい。
【００１９】
あるいは、前記表示バーの接眼窓が位置する側と反対側の面が前記眼鏡レンズの使用者の眼と反対側の曲面から出っ張らないように保持されていることが望ましい。
【００２０】
また、前記溝は前記眼鏡レンズの外側から眼鏡レンズ中央にかけて形成されているものとすることができる。
【００２１】
本発明の画像表示装置付き眼鏡は、少なくとも一方の眼鏡レンズの一部に溝が形成されており、前記溝中に表示バーが挿入されており、前記表示バーは、中空の筒部材あるいはロッド状の透明部材を備え、前記筒部材あるいは透明部材はその後端から入射した表示光を長手方向に導いてその先端に導く光路を形成するものであり、前記筒部材あるいは透明部材の先端近傍には反射部材が配置され、かつ、前記筒部材あるいは透明部材はその先端に前記反射部材で光路が曲げられた表示光を観察者眼球に投影する接眼窓を備えており、前記接眼窓近傍又は前記筒部材あるいは透明部材の後端から先端に至る光路中に接眼光学系を備えていることを特徴とするものである。
【００２２】
なお、本発明は、眼鏡レンズを保持するフレームを備え、少なくとも一方の眼鏡レンズの一部に幅が４ｍｍ程度以下の溝が形成されており、前記溝中には表示バーが挿入可能になっており、前記表示バーは、中空の筒部材あるいはロッド状の透明部材を備え、前記筒部材あるいは透明部材はその後端から入射した表示光を長手方向に導いてその先端に導く光路を形成するものであり、前記筒部材あるいは透明部材の先端近傍には反射部材が配置され、かつ、前記筒部材あるいは透明部材はその先端に前記反射部材で光路が曲げられた表示光を観察者眼球に投影する接眼窓を備えており、前記接眼窓近傍又は前記筒部材あるいは透明部材の後端から先端に至る光路中に接眼光学系を備えているものである眼鏡を含むものである。
【発明の効果】
【００２３】
本発明によると、特別な眼鏡レンズを使用しなくても、観察者瞳孔の瞳分割によってシースルーした外界像と重畳して電子像を視野内の任意の位置に観察者の眼幅等の適合させて表示可能な眼鏡型画像表示装置とそのような画像表示装置を取り付けた眼鏡を提供することができる。
【００２４】
例えば、表示バーと瞳孔の距離を短くすることができ、視野角が大きくなる。そして、その表示バー全体が眼鏡レンズで保持され、表示バーの物理強度が高くなる。また、表示バー全体が眼鏡レンズと一体になるため違和感が少ない。また、サングラスのように眼鏡レンズの透過率を落とすことで外界像のみを暗くでき、電子映像は暗くならない。そのため、明るい環境下でも視認性を高めた眼鏡型画像表示装置を自由に設計できる。また、眼鏡レンズは一般の眼鏡レンズと同じ厚みと形状のものが使える。
【発明を実施するための最良の形態】
【００２５】
以下、本発明の眼鏡型画像表示装置及び画像表示装置付き眼鏡を実施例に基づいて説明する。
【００２６】
本発明の眼鏡型画像表示装置は、特許文献１で提案された接眼窓保持部２を眼鏡の眼鏡レンズに溝を切り込み、その溝に挿入して一体化するものである。本発明の眼鏡型画像表示装置の説明のために、図１〜図４を参照にして、この接眼窓保持部２を再度説明する。      
【００２７】
図１はこの接眼窓保持部２の代表的なものの斜視図、図２はその平面図である。接眼窓保持部２は断面長方形状の中空の筒部材あるいは四角柱状の透明部材からなり、その筒部材あるいは透明部材の後端に配置した表示パネル３からの表示光をその中を光路とし先端に導き、先端に配置された反射部材６で光路を接眼窓保持部２の略直角方向に曲げ、接眼窓保持部２の先端側面の接眼窓４に配置された接眼レンズ５を介して眼球に投影することにより、観察者は表示パネル３の虚像である空中像を拡大観察することができるものである。
【００２８】
図３はこのような画像表示装置を観察者が装着したときの接眼窓保持部２の先端部と眼球Ｅの位置関係を示す図であり、眼球Ｅ正面に配置される接眼窓保持部２の幅を瞳孔径より小さい４ｍｍ以下にすることで、眼球Ｅの瞳を瞳分割して、接眼窓保持部２がかからない瞳孔部分を通して外界像を、接眼窓保持部２の接眼窓４がかかる瞳孔部分を通して表示パネル３の表示画像を相互に重畳させて見えるようにしている。
【００２９】
なお、接眼窓保持部２の先端側面の接眼窓４に接眼レンズ５を配置する代わりに、図４に示すように、接眼窓保持部２の先端の反射部材６と後端の間に接眼レンズ５の作用をする正屈折力の屈折率分布型レンズ７を内蔵させるようにすることもできる。
【００３０】
ここで、表示パネル３は筒部材あるいは透明部材の後端に配置される必要は必ずしもなく、その後端から離れた位置に配置した表示パネル３の表示像をミラー、リレーレンズ系、光ファイバーイメージガイド等の光学系により２次像として筒部材あるいは透明部材の後端位置に伝達するようにしてもよい。
【００３１】
したがって、本発明では、図１、図４の表示パネル３を除いた接眼窓保持部２の構成、すなわち、表示パネル３からの表示光を長手方向に導く光路を形成する中空の筒部材あるいは柱状の透明部材からなり、観察者眼球Ｅへの投影断面の幅が４ｍｍ以下である長手方向光路形成部材を構成する接眼窓保持部２と、その先端に配置された反射部材６と、反射部材６で光路が略直角方向に曲げられ、表示光を観察者眼球Ｅに投影する接眼窓４とからなり、接眼窓４近傍あるいは長手方向光路形成部材中に接眼光学系（接眼レンズ５、屈折率分布型レンズ７）が配置されたものを表示バー１０と呼ぶことにして説明する。
【００３２】
さて、本発明の眼鏡型画像表示装置あるいは画像表示装置付き眼鏡の実施例を説明する。図５（ａ）は通常の近視、遠視、あるいは、サングラス用の眼鏡の前方上方から見た斜視図であり、この実施例の場合、左右の眼鏡レンズ２０Ｌ、２０Ｒはブリッジ２１と左右の縁なしの左右のフレーム２２Ｌ、２２Ｒによって左右の眼鏡レンズ２０Ｌ、２０Ｒが所定位置に取り付けられ、左右のフレーム２２Ｌ、２２Ｒからは左右のつる２３Ｌ、２３Ｒが折り畳み可能に伸びている。本発明に基づいて左右の眼鏡レンズ２０Ｌ、２０Ｒの一方あるいは双方に、図５（ａ）の場合は右の眼鏡レンズ２０Ｒに前後に貫通する横溝３０が外端から略中央にかけて切り込まれる。
【００３３】
そして、本発明に基づいて、図５（ｂ）に示すように、この眼鏡レンズ２０Ｒに切り込まれた横溝３０に接眼窓４が眼鏡の装着者の眼球に対向するように表示バー１０を位置調節しながら挿入して、この場合は、透明接着材等を用いて眼鏡レンズ２０Ｒに一体に表示バー１０を固定する。
【００３４】
なお、図５（ｂ）の表示バー１０の後端には筐体１１が一体に設けられ、その中に表示パネル３とその照明装置、表示パネル３の駆動回路基板等の電装部品等が納められている。
【００３５】
図６は、図５の実施例の変形例を示す図５と同様の図であり、図６（ａ）に示すように、左右の眼鏡レンズ２０Ｌ、２０Ｒはブリッジ２１とそれぞれリム（縁）２２Ｌ’、２２Ｒ’を有する左右のフレーム２２Ｌ、２２Ｒのリム２２Ｌ’、２２Ｒ’によって所定位置に取り付けられ、左右のフレーム２２Ｌ、２２Ｒからは左右のつる２３Ｌ、２３Ｒが折り畳み可能に伸びている眼鏡の例である。この場合、左右の眼鏡レンズ２０Ｌ、２０Ｒの一方あるいは双方に、図６（ａ）の場合は右の眼鏡レンズ２０Ｒに前後に貫通する横溝３０が外端から略中央にかけて切り込まれ、その横溝３０に対応するリム２２Ｒ’の位置にも切り込み３０’を設けられ、図６（ｂ）に示すように、この眼鏡レンズ２０Ｒに切り込まれた横溝３０に接眼窓４が眼鏡の装着者の眼球に対向するように表示バー１０を位置調節しながら挿入して、この場合は、表示バー１０の根元あるいは筐体１１と切り込み３０’位置のフレーム２２Ｒのリム２２Ｒ’の間をろう付けして眼鏡レンズ２０Ｒのフレーム２２Ｒに一体に固定する。
【００３６】
ところで、眼鏡レンズ２０（２０Ｌ、２０Ｒ）の外端から略中央にかけて切り込む横溝（必ずしも横方向である必要はなく、縦方向あるいは斜め方向でもよい）３０の幅は、表示バー１０の幅（図３）に略等しいか、若干広い幅にする必要がある。表示バー１０の幅は４ｍｍ以下が好ましいので、図７（ａ）に示すように、眼鏡レンズ２０（２０Ｌ、２０Ｒ）に設ける横溝３０の幅も４ｍｍ以下あるいは４ｍｍ  を多少越える程度（４ｍｍ程度以下）とすることが好ましい。そして、その横溝３０中に挿入した表示バー１０は、図７（ｂ）に示すように、その軸の周りで回転調節固定できるようにして、表示バー１０の接眼窓４から出る表示光が眼球Ｅの瞳孔に入るようにする。
【００３７】
その様子を図８（ａ）、（ｂ）に示す。すなわち、図８（ａ）に示すように、例えば横溝３０が眼鏡レンズ２０の下方に設けられ、眼鏡レンズ２０のレンズ面に沿うように表示バー１０を挿入しただけでは、表示バー１０の接眼窓４から出る表示光は眼鏡レンズ２０の略中心の背後に位置する観察者眼球Ｅの瞳孔には向かず、眼球Ｅを回旋させても表示バー１０からの電子像は観察できない。そこで、オプテッシャンは表示バー１０を眼鏡レンズ２０に取り付け固定するとき、図８（ｂ）に示すように、表示バー１０を横溝３０内に挿入し、その軸の周りで表示バー１０を回転調節して接眼窓４から出る表示光が装着者の眼球Ｅの瞳孔に向かうようにして、眼鏡レンズ２０に一体に固定するか（図５）、眼鏡レンズ２０のフレームに一体に固定する（図６）。このように調整することで、眼球Ｅの視野内に電子像が重なって見える。
【００３８】
なお、このような表示バー１０の回転調節が可能なように、眼鏡レンズ２０に設ける横溝３０の断面は、図８（ｃ）に示すように、表示バー１０の断面の対角線を略直径とする円となるような断面が円の溝としてもよい。
【００３９】
さらに、眼鏡レンズ２０に対する観察者眼球Ｅが予め分かっている場合は、図８（ｄ）に示すように、眼鏡レンズ２０に設ける横溝３０は、その中に挿入した表示バー１０の接眼窓４から出る表示光がその予め分かっている眼球Ｅの回旋中心に向かうようになる所定頂角の断面平行四辺形となる溝としてもよい。
【００４０】
ところで、眼鏡レンズ２０（２０Ｌ、２０Ｒ）は、図９に示すように、一般に前後の曲面３１、３２からなるが、横溝３０に挿入する表示バー１０の接眼窓４が位置する側の面と眼鏡レンズ２０後側の曲面３２とが略一致して後側の曲面３２から表示バー１０が出っ張らないようにすることで（図９（ａ））、表示バー１０のエッジが観察者眼球Ｅが衝突して眼球Ｅを傷つけることが防げると共に、表示バー１０の接眼窓４が観察者眼球Ｅにより近づくため、電子像表示の視野角がより大きくなる。逆に、横溝３０に挿入する表示バー１０の接眼窓４が位置する側と反対の面と眼鏡レンズ２０前側の曲面３１とが略一致して前側の曲面３１から表示バー１０が出っ張らないようにすることで（図９（ｂ））、外観上眼鏡レンズ２０からの出っ張りがなく外観形状を損なわない。
【００４１】
次に、本発明の眼鏡型画像表示装置の使用者の眼幅の違いに対応させる方法を説明する。図１０（ａ）、（ｂ）、（ｃ）は、表示バー１０を取り付ける右の眼鏡レンズ２０Ｒ部分の平面図であり、図１０（ａ）は観察者（使用者）の眼幅が標準的な場合の右眼球Ｅ0 位置を、図１０（ｂ）は観察者（使用者）の眼幅が標準的な場合より狭い場合の右眼球Ｅ1 位置を、図１０（ｃ）は観察者（使用者）の眼幅が標準的な場合より広い場合の右眼球Ｅ2 位置をそれぞれ示しており、図１０（ｂ）、（ｃ）においては、破線で標準的な眼球位置を示す。眼球の位置が水平方向に異なる場合に、横溝３０中に挿入する表示バー１０の接眼窓４から出る表示光がその異なる位置の眼球Ｅ0 、Ｅ1 、Ｅ2 の回旋中心に向かうように表示バー１０の横溝３０内での水平面内での取り付け角度を図１０（ａ）、（ｂ）、（ｃ）のように調節して表示バー１０を眼鏡レンズ２０Ｒ又はフレーム２２Ｒに固定する。この場合に、横溝３０に挿入する表示バー１０の接眼窓４が位置する側の全ての面が眼鏡レンズ２０後側の曲面３２から外へが出っ張らないようにすることで、表示バー１０のエッジが観察者眼球Ｅが衝突して眼球Ｅを傷つけることが防げる。これとは反対に、表示バー１０の接眼窓４が位置する側と反対の側の全ての面が眼鏡レンズ２０前側の曲面３１から外へが出っ張らないようにすることで、外観上眼鏡レンズ２０からの出っ張りがなく外観形状を損なわない。
【００４２】
ところで、以上の実施例では、横溝（上記したように必ずしも横方向である必要はなく、縦方向あるいは斜め方向でもよい）３０は眼鏡レンズ２０（２０Ｌ、２０Ｒ）の外端から略中央にかけて切り込まれるとしたが、必ずしも眼鏡レンズ２０の外端に通じている必要はない。図１１は、前後に貫通した横溝３０が眼鏡レンズ２０Ｒの中に閉じた状態で設けられている場合の実施例を示す図である。図１１（ａ）は右眼鏡レンズ２０Ｒを使用者の眼側から見た図であり、右眼鏡レンズ２０Ｒの中央やや右下寄りの位置に横溝３０が形成されている。この閉じた横溝３０に、図１１（ｂ）に示すように、表示バー１０の先端寄りの部分を挿入し、接着剤等の適当な手段で固定する。そして、筐体１１は、図１１（ｃ）に示すように、表示バー１０によって眼鏡レンズ２０Ｒの端部に固定される。サングラスのような眼鏡では、ファッション性を重視する一方で、使用者の視度補正機能を持たない場合があり、そのような場合はレンズ形状の自由度が大きいため、大きく湾曲したレンズが用いられることがある。眼鏡レンズ２０Ｒの湾曲が大きい場合には、横溝３０を眼鏡レンズ２０Ｒの外側まで伸ばして形成しない方がよい場合もある。
【００４３】
なお、以上の説明において、眼鏡レンズ２０、２０Ｌ、２０Ｒは前面３１、後面３２が平面に限らず曲面を持つものであればいかなるものでもよく、近視用レンズ、遠視用レンズ、累進眼鏡レンズ、サングラス等何れのものでもよい。また、眼鏡レンズ２０、２０Ｌ、２０Ｒは屈折力がゼロ（パワーレス）のものであってもよい。また、横溝３０は必ずしも前面３１から後面３２まで貫通する必要がなく、特に、眼鏡レンズ２０が厚い場合には、前面３１から後面３２まで貫通する必要はない。
【００４４】
以上、本発明の眼鏡型画像表示装置及び画像表示装置付き眼鏡を実施例に基づいて説明してきたが、本発明はこれら実施例に限定されず種々の変形が可能である。
【図面の簡単な説明】
【００４５】
【図１】本発明で用いる表示バーの代表的なものの斜視図である。
【図２】図１の表示バーの平面図である。
【図３】図１の表示バーを観察者が装着したときの表示バー先端部と眼球の位置関係を示す図である。
【図４】本発明で用いる表示バーの変形例の斜視図である。
【図５】本発明による眼鏡型画像表示装置の組み立て前と組み立て後の斜視図である。
【図６】図５の実施例の変形例を示す図５と同様の図である。
【図７】眼鏡レンズに切り込む横溝の幅とその横溝中に挿入した表示バーの回転調節固定を説明するための図である。
【図８】眼鏡レンズに設けた横溝中での表示バーの回転調節の必要性と調整のし方を説明するための図である。
【図９】眼鏡レンズに設けた横溝中に配置する表示バーがその後側、前面から出っ張らないようにすることを説明するための図である。
【図１０】本発明の眼鏡型画像表示装置の使用者の眼幅の違いに対応させる方法を説明するための図である。
【図１１】眼鏡レンズに設けた横溝が眼鏡レンズの中に閉じた状態で設けられている場合の実施例を示す図である。
【符号の説明】
【００４６】
Ｅ…眼球
Ｅ0 、Ｅ1 、Ｅ2 …異なる眼球位置
２…接眼窓保持部
３…表示パネル
４…接眼窓
５…接眼レンズ
６…反射部材
７…屈折率分布型レンズ
１０…表示バー
１１…筐体
２０、２０Ｌ、２０Ｒ…眼鏡レンズ
２１…ブリッジ
２２Ｌ、２２Ｒ…フレーム
２２Ｌ’、２２Ｒ’…リム
２３Ｌ、２３Ｒ…つる
３０…横溝
３０’…切り込み
３１…眼鏡レンズの前面
３２…眼鏡レンズの後面
【図１】
2009075195.tif 000003
【図２】
2009075195.tif 000004
【図３】
2009075195.tif 000005
【図４】
2009075195.tif 000006
【図５】
2009075195.tif 000007
【図６】
2009075195.tif 000008
【図７】
2009075195.tif 000009
【図８】
2009075195.tif 000010
【図９】
2009075195.tif 000011
【図１０】
2009075195.tif 000012
【図１１】
2009075195.tif 000013